(57)【要約】【課題】テール片への外部ノイズの流入やテール片からのノイズ漏れを効果的に抑制でき、しかも画像認識装置によってテール片の回路パターンに対するはんだ付け状態を視認可能なコネクタを提供する。【解決手段】薄板状の接続対象物６０を挿脱可能なインシュレータ１５と、インシュレータに挿入した接続対象物と接触可能で、回路基板ＣＢの回路パターンに対して実装するテール片３７を有する、インシュレータに支持したコンタクト３２と、インシュレータに取り付けた、回路基板の接地パターンと接地導通する金属製のシェル４０と、を備え、テール片がインシュレータに対して、接続対象物のインシュレータからの脱出方向と反対側に向かって突出し、シェルが、テール片を挟んで回路基板と反対側に位置する第一遮蔽部４１、４６と、テール片に対して上記脱出方向の反対側に位置する第二遮蔽部４３、４７と、第一遮蔽部と第二遮蔽部の少なくとも一方に穿設した、テール片と対向するテール片露出孔４９と、を備える。【選択図】図６
2014157687.tif 000002
【特許請求の範囲】
【請求項１】
薄板状の接続対象物を挿脱可能なインシュレータと、
該インシュレータに挿入した上記接続対象物と接触可能で、回路基板の回路パターンに対して実装するテール片を有する、上記インシュレータに支持したコンタクトと、
上記インシュレータに取り付けた、上記回路基板の接地パターンと接地導通する金属製のシェルと、
を備え、
上記テール片が上記インシュレータに対して、上記接続対象物の上記インシュレータからの脱出方向と反対側に向かって突出し、
上記シェルが、
上記テール片を挟んで上記回路基板と反対側に位置する第一遮蔽部と、
上記テール片に対して上記脱出方向の反対側に位置する第二遮蔽部と、
上記第一遮蔽部と上記第二遮蔽部の少なくとも一方に穿設した、上記テール片と対向するテール片露出孔と、
を備えることを特徴とするコネクタ。
【請求項２】
請求項１記載のコネクタにおいて、
上記回路基板の厚み方向に見たときの上記テール片露出孔の開口面積より、該厚み方向に対して９０°より小さい角度で傾斜する方向に見たときの上記テール片露出孔の開口面積が小さいコネクタ。
【請求項３】
請求項１または２記載のコネクタにおいて、
上記第二遮蔽部が上記シェルに対して着脱可能であるコネクタ。
【請求項４】
請求項１から３のいずれか１項記載のコネクタにおいて、
上記第一遮蔽部が、上記接続対象物の上記インシュレータに対する挿脱方向に対して上記テール片側に傾斜しているコネクタ。
【請求項５】
請求項１から４のいずれか１項記載のコネクタにおいて、
上記シェルが、
上記接続対象物の上記インシュレータに対する挿脱方向及び上記回路基板の厚み方向に対して直交する方向に離間し、かつ両者の間に上記テール片が位置する一対の第三遮蔽部を有するコネクタ。
【請求項６】
請求項１から５のいずれか１項記載のコネクタにおいて、
上記接続対象物の両側縁部に形成した係合凹部と、
上記シェルに形成した、上記接続対象物をインシュレータに挿入したときに、一対の上記係合凹部とそれぞれ係合する抜止め手段と、
を備えるコネクタ。
【発明の詳細な説明】
【技術分野】
【０００１】
本発明はＦＰＣ（フレキシブルプリント基板）やＦＦＣ（フレキシブルフラットケーブル）やカード基板等の薄板状の接続対象物を挿脱可能なコネクタに関する。
【背景技術】
【０００２】
回路基板（リジッド基板）と薄板状の接続対象物（ＦＰＣやＦＦＣ等）とを導通させるコネクタは一般的に、接続対象物を挿脱可能なインシュレータと、インシュレータに挿入した接続対象物と接触可能かつインシュレータに支持した複数のコンタクトと、を備えている。さらにコンタクトは、インシュレータに対して接続対象物の（インシュレータからの）脱出方向と反対側に向かって突出し、かつ回路基板の回路パターンに対してはんだ付けされるテール片を備えている。
昨今の電子機器では情報量の増加や通信速度の高速化が著しく進んでいるため、機器内のノイズ対策が重要な課題となっており、コネクタについても、ノイズに対する耐性向上と、周辺に出すノイズをどれだけ抑えられるかが課題となっている。一方、コネクタのコンタクトは、その伝送路中にばね、接点部、はんだ付け部等が存在するため形状や伝送経路が複雑である。そのため、コンタクトはノイズを受けたりコネクタの外部にノイズを出しやすい部品である。
そのため、従来からインシュレータに対して金属製のシェルを取り付けて、このシェルを回路基板の接地パターンと接地導通させることにより、各コンタクトに対して外部ノイズが入ったり、各コンタクトのノイズがコネクタの外部に漏れるのを抑制している（例えば特許文献１）。
【先行技術文献】
【特許文献】
【０００３】
【特許文献１】特許第４３５３４３６号公報
【発明の概要】
【発明が解決しようとする課題】
【０００４】
コネクタにおけるノイズ漏れや外部ノイズの流入の要因は一つではない。しかし出願人による研究の結果、コンタクトのテール片が大きな要因の一つになっていることが判明した。
テール片への外部ノイズの流入や、テール片からのノイズ漏れを効果的に抑制するためには、テール片の周囲全体をシェル（さらに回路基板及びインシュレータ）によって囲めばよい。
【０００５】
一般的に、リフロー炉を利用した各コンタクトのテール片の回路基板の回路パターンへのはんだ付け工程では、各テール片の回路パターンに対する位置合わせや実装後のはんだ付けの合否判定を画像認識装置によって行う。
ところが、上記のようにテール片の周囲全体をシェル（さらに回路基板及びインシュレータ）によって囲んでしまうと、画像認識装置とテール片の間にシェルが位置することになるので、画像認識装置がテール片の状態を確認（視認）できなくなってしまう。
【０００６】
本発明の目的は、テール片への外部ノイズの流入やテール片からのノイズ漏れを効果的に抑制でき、しかも画像認識装置によってテール片の回路パターンに対するはんだ付け状態を視認可能なコネクタを提供することにある。
【課題を解決するための手段】
【０００７】
本発明のコネクタは、薄板状の接続対象物を挿脱可能なインシュレータと、該インシュレータに挿入した上記接続対象物と接触可能で、回路基板の回路パターンに対して実装するテール片を有する、上記インシュレータに支持したコンタクトと、上記インシュレータに取り付けた、上記回路基板の接地パターンと接地導通する金属製のシェルと、を備え、上記テール片が上記インシュレータに対して、上記接続対象物の上記インシュレータからの脱出方向と反対側に向かって突出し、上記シェルが、上記テール片を挟んで上記回路基板と反対側に位置する第一遮蔽部と、上記テール片に対して上記脱出方向の反対側に位置する第二遮蔽部と、上記第一遮蔽部と上記第二遮蔽部の少なくとも一方に穿設した、上記テール片と対向するテール片露出孔と、を備えることを特徴としている。
【０００８】
上記回路基板の厚み方向に見たときの上記テール片露出孔の開口面積より、該厚み方向に対して９０°より小さい角度で傾斜する方向に見たときの上記テール片露出孔の開口面積が小さくてもよい。
【０００９】
上記第二遮蔽部が上記シェルに対して着脱可能であってもよい。
上記第一遮蔽部が、上記接続対象物の上記インシュレータに対する挿脱方向に対して上記テール片側に傾斜してもよい。
【００１０】
上記シェルが、上記接続対象物の上記インシュレータに対する挿脱方向及び上記回路基板の厚み方向に対して直交する方向に離間し、かつ両者の間に上記テール片が位置する一対の第三遮蔽部を有してもよい。
【００１１】
上記接続対象物の両側縁部に形成した係合凹部と、上記シェルに形成した、上記接続対象物をインシュレータに挿入したときに、一対の上記係合凹部とそれぞれ係合する抜止め手段と、を備えてもよい。
【発明の効果】
【００１２】
本発明のコネクタのシェルは、テール片を挟んで回路基板と反対側に位置する第一遮蔽部と、テール片に対して接続対象物のインシュレータからの脱出方向の反対側に位置する第二遮蔽部と、を備えている。そのため、テール片への外部ノイズの流入やテール片からのノイズ漏れを効果的に抑制できる。
しかも、第一遮蔽部と第二遮蔽部の少なくとも一方には、テール片と対向するテール片露出孔が穿設してある。そのため、画像認識装置によってテール片の回路パターンに対するはんだ付け状態を視認することも可能である。
【図面の簡単な説明】
【００１３】
【図１】本発明の一実施形態の回路基板に実装したコネクタとＦＰＣの分離状態の後斜め上方から見た斜視図である。
【図２】コネクタとＦＰＣの分離状態の前斜め下方から見た斜視図である。
【図３】コネクタの上方から見た分解斜視図である。
【図４】コネクタの下方から見た分解斜視図である。
【図５】コネクタの平面図である。
【図６】図５のVI−VI矢線に沿う断面図である。
【図７】図５のVII−VII矢線に沿う断面図である。
【図８】コネクタにＦＰＣを挿入したときの図６と同様の断面図である。
【図９】コネクタにＦＰＣを挿入したときの図７と同様の断面図である。
【発明を実施するための形態】
【００１４】
以下、添付図面を参照しながら本発明の一実施形態について説明する。なお、以下の説明中の前後、左右、及び上下の方向は、図中の矢印の方向を基準としている。
本実施形態のコネクタ１０はＦＰＣ６０を挿脱可能なコネクタである。コネクタ１０は、大きな構成要素としてインシュレータ１５、第一コンタクト２５、第二コンタクト３２、及びシェル４０を具備している。
【００１５】
インシュレータ１５は絶縁性かつ耐熱性の合成樹脂材料を射出成形したものである。インシュレータ１５の上面の左右両端部を除く部分にはインシュレータ１５の前面から後端近傍まで延びる接続対象物挿入用凹部１６が凹設してある。インシュレータ１５の前面には、後方に向かって直線的に延びる７本の第一コンタクト挿入溝１８が所定間隔で左右方向に並べて形成してある。同様に、インシュレータ１５の後面には、前方に向かって直線的に延びる６本の第二コンタクト挿入溝１９が所定間隔で左右方向に並べて形成してある。図示するように各第二コンタクト挿入溝１９は隣接する第一コンタクト挿入溝１８の間に形成してある。またインシュレータ１５の前端部の左右両側には、直後に位置する部位に比べて上方及び側方に突出した前側突部２１が設けてある。さらにインシュレータ１５の左右両側面には係合突起２２が突設してある。
【００１６】
計７本の第一コンタクト２５は、ばね弾性を備えた銅合金（例えばリン青銅、ベリリウム銅、チタン銅）やばね弾性を備えたコルソン系銅合金の薄板を図示の形状に順送金型（スタンピング）により成形加工したものであり、表面にニッケルメッキで下地を形成した後に、金メッキを施してある。
第一コンタクト２５は、固定部２６と、固定部２６の左右両側面から側方に突出する一対の係止突起２７と、固定部２６から後斜め上方に向かって延びる弾性変形片２８と、固定部２６から前斜め下方に延びた後に前方に向かって延びる前側テール片３０と、を具備している。弾性変形片２８の後端近傍部には接触突部２９が突設してある。
各第一コンタクト２５はインシュレータ１５の前方から各第一コンタクト挿入溝１８に挿入してある。第一コンタクト２５を第一コンタクト挿入溝１８に挿入すると、各第一コンタクト２５の左右の係止突起２７が対応する第一コンタクト挿入溝１８の左右両側面にそれぞれ食い込むので、固定部２６が対応する第一コンタクト挿入溝１８に対して固定される。このようにして固定部２６を第一コンタクト挿入溝１８に対して固定すると、弾性変形片２８の大部分は対応する第一コンタクト挿入溝１８内に位置する（図６参照）。また、前側テール片３０はインシュレータ１５の前端面から前方に突出し、かつ前側テール片３０の下面はインシュレータ１５の下面より僅かに下方に位置する（図６、図８参照）。
【００１７】
計６本の第二コンタクト３２は、第一コンタクト２５と同材質かつ同じ要領で製造したものであり、固定部３３と、固定部３３の左右両側面から側方に突出する一対の係止突起３４と、固定部３３から前斜め上方に向かって延びる弾性変形片３５と、固定部３３から後斜め下方に延びた後に後方に向かって延びる後側テール片３７と、を具備している。弾性変形片３５の前端近傍部には接触突部３６が突設してある。
各第二コンタクト３２はインシュレータ１５の後方から各第二コンタクト挿入溝１９に挿入してある。第二コンタクト３２を第二コンタクト挿入溝１９に挿入すると、各第二コンタクト３２の左右の係止突起３４が対応する第二コンタクト挿入溝１９の左右両側面にそれぞれ食い込むので、固定部３３が対応する第二コンタクト挿入溝１９に対して固定される。このようにして固定部３３を第二コンタクト挿入溝１９に対して固定すると、弾性変形片３５の大部分は対応する第二コンタクト挿入溝１９内に位置する（図６参照）。また、後側テール片３７はインシュレータ１５の後端面から後方に突出し、かつ後側テール片３７の下面は前側テール片３０の下面と同じ高さに位置する（図６、図８参照）。さらに接触突部３６の上端位置が接触突部２９の上端位置と同じ高さに位置する。
【００１８】
金属製のシェル４０は金属板をプレス成形した一体成形品である。
シェル４０は大きな構成要素として、略平板状で平面視略矩形の天井板４１（第一遮蔽部）と、天井板４１の左右両側部から垂下する左右一対の側板４２（第三遮蔽部）と、天井板４１の後縁部から垂下する背面板４３（第二遮蔽部）と、を具備している。天井板４１及び側板４２の前後長はインシュレータ１５の前後長より長い。
左右の側板４２の前端近傍部には係止孔４４が穿設してあり、天井板４１の前端近傍部には左右一対の抜止め片４５（抜止め手段）が切り起こしにより形成してある。図示するように左右の抜止め片４５の後部の下面は天井板４１の下面より一段下方に位置している。
さらに天井板４１の左右両側部を除く部分の後端近傍には、後ろ斜め下方に向かって延びる（天井板４１に対して後側テール片３７側に傾斜している）前側傾斜片４６（第一遮蔽部）が形成してある。また天井板４１の後端部と背面板４３の上部に跨る部分の左右両側部を除く部位には、前斜め上方に向かって延びる後側傾斜片４７（第二遮蔽部）が形成してある。
また天井板４１の前縁部と左右の側板４２の前縁部とに跨る部位には、左右一対の抜止め凹部４８が凹設してある。
【００１９】
シェル４０は、左右の抜止め凹部４８を左右の前側突部２１の後面に当接させながら、天井板４１の下面の左右両側部をインシュレータ１５の左右両側部（前側突部２１の後方に位置する部位）の上面に被せ（当接させ）、さらに左右の側板４２の内面をインシュレータ１５の左右両側面（前側突部２１の後方に位置する部位）に被せる（当接させる）ことによりインシュレータ１５に装着してある。このようにしてシェル４０をインシュレータ１５に装着すると、インシュレータ１５の左右の係合突起２２がシェル４０の左右の係止孔４４に係合する。そのため意図的にシェル４０をインシュレータ１５から取り外さない限り、シェル４０がインシュレータ１５から脱落するおそれは小さい。
図６及び図８等に示すように、各後側テール片３７の後方（ＦＰＣ６０のインシュレータ１５からの脱出方向と反対側）に背面板４３及び後側傾斜片４７が位置し、各後側テール片３７の上方（各後側テール片３７を挟んで回路基板ＣＢの反対側）に天井板４１及び前側傾斜片４６が位置する。さらに左右方向（ＦＰＣ６０のインシュレータ１５に対する挿脱方向及び回路基板ＣＢの厚み方向に対して直交する方向）に離間する一対の側板４２の間に各後側テール片３７が位置する。
前側傾斜片４６の後端面と後側傾斜片４７の前端面は互いに平行であり、この後端面及び前端面は側面視において上下方向に対して後方にα°だけ傾斜している（図６参照。αは９０以下の任意の大きさに設定可能である）。前側傾斜片４６の後端面と後側傾斜片４７の前端面の間に形成された左右方向に延びるテール片露出孔４９の開口面積は、テール片露出孔４９の真上から見たときの方が、テール片露出孔４９の後ろ斜め上方（上下方向に対して後方にα°傾斜した方向）から見たときより大きい。別言すると、テール片露出孔４９の真上から見たときのテール片露出孔４９の前後寸法Ｌ１は、テール片露出孔４９の後ろ斜め上方から見たときの前後寸法Ｌ２より長い。またテール片露出孔４９と各後側テール片３７の（少なくとも）後端部は上下方向に対向している。
【００２０】
コネクタ１０は、回路基板ＣＢ（図１の実線及び図６〜図９の仮想線参照）の上面（回路形成面）に実装する。具体的には、コネクタ１０の上方に位置する吸引手段（図示略）によってシェル４０の天井板４１の上面を吸着し、吸引手段を上方へ移動させることによりコネクタ１０を一旦上方へ移動させる。そして該吸引手段によりコネクタ１０を回路基板ＣＢの上方に移動させた後に、各前側テール片３０及び各後側テール片３７を回路基板ＣＢ上の回路パターン（図示略）に塗布したはんだペースト上に載置し、さらにシェル４０の数カ所を回路基板ＣＢ上の接地パターン（図示略）に塗布したはんだペースト上に載置する（図１参照）。そしてリフロー炉において各はんだペーストを加熱溶融（リフロー）し、各前側テール片３０、後側テール片３７、及びシェル４０の数カ所を上記各パターンにはんだ付けする。
さらに画像認識装置５０（図６の仮想線参照）が各前側テール片３０及びシェル４０の回路基板ＣＢに対するはんだ付け状態を視認（判定）すると共に、直上から天井板４１のテール片露出孔４９を通して各後側テール片３７の後端部のはんだ付け状態を視認（判定）する。上記したように本実施形態では前側傾斜片４６の後縁部と後側傾斜片４７の前縁部の間に形成されたテール片露出孔４９の開口面積は、テール片露出孔４９の真上から見たとき（回路基板ＣＢの厚み方向に見たとき）の方がテール片露出孔４９の後ろ斜め上方（上下方向に対して後方にα°傾斜した方向）から見たときより大きい（Ｌ１＞Ｌ２）ので、画像認識装置５０はテール片露出孔４９を通して各後側テール片３７の後端部のはんだ付け状態を確実に視認（判定）できる。
【００２１】
このようにして回路基板ＣＢに対して実装したコネクタ１０に対しては、図１、図２、図８、図９に示すＦＰＣ６０（接続対象物）を挿脱可能である。
接続対象物であるＦＰＣ６０（フレキシブルプリント基板）は弾性変形可能な薄板状の長尺物であり、その厚みは自由状態にある第一コンタクト２５の接触突部２９の上端及び第二コンタクト３２の接触突部３６の上端と天井板４１の下面との間隔より大きい。ＦＰＣ６０は複数の薄膜材を互いに接着して構成した積層構造であり、ＦＰＣ６０の下面に形成したＦＰＣ６０の延長方向に沿って直線的に延びる計１３本の回路パターン６１と、ＦＰＣ６０の下面に設けた、各回路パターン６１の両端部を除く部分を覆う絶縁カバー層６２と、一方の面（図では下面）が回路パターン６１の両端部と一体化するように長手方向の両端部に設けた、ＦＰＣ６０のその他の部分に比べて硬い端部補強部材６３と、を具備している。さらに端部補強部材６３の両側縁部にはそれぞれ係合凹部６４が凹設してある。
【００２２】
ＦＰＣ６０の後端部をコネクタ１０の前面から接続対象物挿入用凹部１６に挿入すると、ＦＰＣ６０の後端部が接続対象物挿入用凹部１６内において各第一コンタクト２５の弾性変形片２８及び各第二コンタクト３２の弾性変形片３５を下方に弾性変形させながら各接触突部２９及び各接触突部３６と天井板４１の下面の間に進入する。すると、各第一コンタクト２５の接触突部２９が対応する回路パターン６１に接触し、各第二コンタクト３２の接触突部３６が対応する回路パターン６１に接触する（図８参照）。従って、各第一コンタクト２５及び各第二コンタクト３２を介して、回路基板ＣＢの上記回路パターンとＦＰＣ６０が電気的に導通する。
また、ＦＰＣ６０の左右の係合凹部６４に対してシェル４０の左右の抜止め片４５が係合するので（図９参照）、意図的にＦＰＣ６０を前方に移動させない限り、ＦＰＣ６０が接続対象物挿入用凹部１６から前方に抜け出すことはない（意図的に引き抜くことも出来ないように係合凹部６４に対して抜止め片４５を係合させてもよい）。
【００２３】
さらにシェル４０が回路基板ＣＢの上記接地パターンと接地導通するので、第一コンタクト２５及び第二コンタクト３２に外部ノイズが入ったり、第一コンタクト２５及び第二コンタクト３２のノイズがコネクタ１０の外部に漏れるのを効果的に抑制できる。
特に本実施形態のシェル４０は、各後側テール片３７の後方に位置する背面板４３及び後側傾斜片４７と、各後側テール片３７の上方に位置する天井板４１及び前側傾斜片４６と、各後側テール片３７の左右両側に位置する一対の側板４２と、を具備している。しかも前側傾斜片４６を水平面（天井板４１）に対して傾斜させると共に後側傾斜片４７を垂直面（背面板４３）に対して傾斜させることにより、前側傾斜片４６及び後側傾斜片４７を（傾斜させない場合に比べて）各後側テール片３７に対して接近させている。そのため各後側テール片３７への外部ノイズの流入や各後側テール片３７からのノイズ漏れを、従来のシェルに比べてより効果的に抑制できる。
さらに第一コンタクト２５及び第二コンタクト３２の上方にシェル４０が位置する本実施形態のコネクタ１０では、各後側テール片３７から漏れるノイズは各後側テール片３７から上斜め後方に向かうものの方が強くなる傾向にある。しかし、上記したように前側傾斜片４６の後端面と後側傾斜片４７の前端面の間に形成された左右方向に延びるテール片露出孔４９の開口面積は、テール片露出孔４９の真上から見たときよりテール片露出孔４９の後ろ斜め上方（上下方向に対して後方にα°傾斜した方向）から見たときの方が小さい（Ｌ１＞Ｌ２）ので、この上斜め後方に向かうノイズがテール片露出孔４９を通して大量に漏れることはない。
【００２４】
以上の説明から明らかなように本実施形態のコネクタ１０は、各第二コンタクト３２の後側テール片３７への外部ノイズの流入や後側テール片３７からのノイズ漏れを効果的に抑制でき、しかも画像認識装置５０によって各後側テール片３７の回路基板ＣＢ上の回路パターンに対するはんだ付け状態を確実に視認することが可能である。
【００２５】
以上、本発明を上記実施形態に基づいて説明したが、本発明は上記実施形態に限定されるものではなく、様々な変形を施しながら実施可能である。
例えば背面板４３及び後側傾斜片４７をシェル４０に対して着脱可能としてシェル４０を構成してもよい。このようにすれば、仮に画像認識装置５０がいずれかの後側テール片３７に対するはんだ付け状態を不良と判断したときに、シェル４０から背面板４３及び後側傾斜片４７を一旦取り外して、背面板４３及び後側傾斜片４７が位置していた空間を利用して作業者がはんだ鏝（図示略）によって当該後側テール片３７を再はんだ付けする（修理する）ことが可能になる。再はんだ付け作業が完了した後に背面板４３及び後側傾斜片４７をシェル４０に対して再装着すれば、上記で説明した通りのノイズ抑制効果を発揮可能となる。
【００２６】
シェル４０の側板４２の内面に、係止孔４４に相当する凹部を形成してもよい。
また、シェル４０側に係合突起２２を突設して、インシュレータ１５側に係止孔４４に対応する貫通孔又は凹部を形成してもよい。
またシェル４０から左右の側板４２を省略してもよい。但し、この場合は例えば天井板４１とインシュレータ１５の一方に係合突起２２を突設し、他方に係止孔４４に対応する貫通孔又は凹部を形成するのが好ましい。
前側傾斜片４６と後側傾斜片４７の傾斜角度はコネクタ１０のノイズ特性に応じて適宜変更可能である。また前側傾斜片４６の後端面と後側傾斜片４７の前端面は互いに非平行であってもよい。
【００２７】
テール片露出孔４９を背面板４３に形成したり、天井板４１と背面板４３に跨る部分にテール片露出孔４９を形成してもよい。
さらに第一コンタクト挿入溝１８をグランドコンタクトとして、回路基板ＣＢ上の接地パターンに導通させてもよい。
また、第一コンタクト２５の接触突部２９の上端及び第二コンタクト３２の接触突部３６の上端と天井板４１の下面との間隔よりＦＰＣ６０の厚みを小さくした上で、接触突部２９及び接触突部３６とＦＰＣ６０の回路パターン６１との接触圧力を高めるための回転式アクチュエータやスライダをインシュレータ１５に取り付けても良い。
さらにＦＰＣ６０に形成する係合凹部６４の位置、数、及び形状、並びにシェル４０に形成する抜止め片４５（抜止め手段）の位置、数、及び形状は上記のものには限定されない。
薄板状の接続対象物としてＦＰＣ以外のもの、例えばＦＦＣ（フレキシブルフラットケーブル）やカード基板等を利用することも可能である。
【符号の説明】
【００２８】
１０    コネクタ
１５    インシュレータ
１６    接続対象物挿入用凹部
１８    第一コンタクト挿入溝
１９    第二コンタクト挿入溝
２１    前側突部
２２    係合突起
２５    第一コンタクト
２６    固定部
２７    係止突起
２８    弾性変形片
２９    接触突部
３０    前側テール片
３２    第二コンタクト（コンタクト）
３３    固定部
３４    係止突起
３５    弾性変形片
３６    接触突部
３７    後側テール片（テール片）
４０    シェル
４１    天井板（第一遮蔽部）
４２    側板（第三遮蔽部）
４３    背面板（第二遮蔽部）
４４    係止孔
４５    抜止め片（抜止め手段）
４６    前側傾斜片（第一遮蔽部）
４７    後側傾斜片（第二遮蔽部）
４８    抜止め凹部
４９    テール片露出孔
５０    画像認識装置
６０    ＦＰＣ（接続対象物）
６１    回路パターン
６２    絶縁カバー層
６３    端部補強部材
６４    係合凹部
ＣＢ    回路基板
【図１】
2014157687.tif 000003
【図２】
2014157687.tif 000004
【図３】
2014157687.tif 000005
【図４】
2014157687.tif 000006
【図５】
2014157687.tif 000007
【図６】
2014157687.tif 000008
【図７】
2014157687.tif 000009
【図８】
2014157687.tif 000010
【図９】
2014157687.tif 000011